(57)【要約】【課題】有価媒体処理装置において、収納された有価媒体を、所定の条件で分類した状態で回収可能にする。【解決手段】有価媒体処理装置６００は、収納部３０ａに収納された有価媒体を、優先して払い出す有価媒体の条件を示す優先度情報に基づいて分類して、払出部６０から払い出す分類回収処理を行う。分類回収処理において、収納部３０ａから有価媒体を繰り出し、第１条件を満たす有価媒体を払出部６０に搬送し、第１条件を満たさない有価媒体を、収納部３０ａ以外の収納部２０に搬送する。【選択図】図１０
2018060265.tif 000002
【特許請求の範囲】
【請求項１】
有価媒体処理装置であって、
有価媒体が投入される投入部と、
有価媒体が払い出される払出部と、
有価媒体を収納するとともに、収納された有価媒体を繰り出す複数個の収納部と、
有価媒体を搬送する搬送部と、
前記有価媒体処理装置の動作を制御する制御部とを備え、
前記制御部は、前記収納部に収納された有価媒体を、優先して払い出す有価媒体の条件を示す優先度情報に基づいて分類して、前記払出部から払い出す分類回収処理を行うよう、前記有価媒体処理装置を制御する
ことを特徴とする有価媒体処理装置。
【請求項２】
請求項１記載の有価媒体処理装置において、
前記制御部は、前記分類回収処理において、
前記複数個の収納部の中の第１収納部に収納された有価媒体を繰り出し、前記搬送部を制御して、前記優先度情報が示す第１条件を満たす有価媒体を、前記払出部に搬送するともに、前記第１条件を満たさない有価媒体を、前記複数個の収納部の中の前記第１収納部以外の第２収納部に搬送する
ことを特徴とする有価媒体処理装置。
【請求項３】
請求項２記載の有価媒体処理装置において、
前記制御部は、前記分類回収処理において、
前記第２収納部に収納された有価媒体を繰り出し、前記搬送部を制御して、前記優先度情報が示す第２条件を満たす有価媒体を、前記払出部に搬送するとともに、前記第２条件を満たさない有価媒体を、前記複数個の収納部の中の前記第２収納部以外の収納部に搬送する
ことを特徴とする有価媒体処理装置。
【請求項４】
請求項３記載の有価媒体処理装置において、
前記第２収納部以外の収納部は、複数個、設けられており、
前記制御部は、前記第２収納部から繰り出された有価媒体のうち前記第２条件を満たさない有価媒体を、前記優先度情報が示す前記第１および第２条件以外の条件に基づいて、前記第２収納部以外の複数の前記収納部に分類して搬送する
ことを特徴とする有価媒体処理装置。
【請求項５】
請求項２〜４のうちいずれか１項記載の有価媒体処理装置において、
前記第２収納部は、前記投入部に投入された有価媒体を一時保留する保留部である
ことを特徴とする有価媒体処理装置。
【請求項６】
請求項１〜５のうちいずれか１項記載の有価媒体処理装置において、
前記有価媒体は、小切手または手形であり、
前記優先度情報が示す条件は、前記小切手または手形を交換できる交換所に関するものである
ことを特徴とする有価媒体処理装置。
【請求項７】
請求項１〜６のうちいずれか１項記載の有価媒体処理装置において、
前記優先度情報を格納する記憶部を備え、
前記記憶部に格納された前記優先度情報は、前記有価媒体処理装置の外部から操作手段を介して、設定および変更が可能である
ことを特徴とする有価媒体処理装置。
【請求項８】
請求項１〜６のうちいずれか１項記載の有価媒体処理装置において、
前記収納部に収納された有価媒体の個別情報を管理する収納媒体情報データベースを格納する記憶部を備え、
前記制御部は、前記分類回収処理において、前記収納媒体情報データベースを参照して、有価媒体の分類を行う
ことを特徴とする有価媒体処理装置。
【請求項９】
請求項８記載の有価媒体処理装置において、
前記制御部は、前記優先度情報を、前記収納媒体情報データベースに管理された有価媒体の個別情報に基づいて、設定する
ことを特徴とする有価媒体処理装置。
【請求項１０】
請求項８記載の有価媒体処理装置において、
前記制御部は、前記優先度情報が示す条件を満たす有価媒体を前記払出部から払い出すとき、前記条件と、前記収納媒体情報データベースに管理された、払い出す有価媒体の個別情報とを含むリストを作成する
ことを特徴とする有価媒体処理装置。
【請求項１１】
請求項８記載の有価媒体処理装置において、
前記制御部は、前記収納媒体情報データベースに含まれた有価媒体の個別情報を、前記優先度情報に従って整理したリストを作成する
ことを特徴とする有価媒体処理装置。
【請求項１２】
請求項１〜６のうちいずれか１項記載の有価媒体処理装置と、
前記有価媒体処理装置を管理する管理装置とを備え、
前記管理装置は、
前記優先度情報を格納する記憶部を備え、前記優先度情報を前記有価媒体処理装置に送信可能に構成されている
ことを特徴とする有価媒体処理システム。
【請求項１３】
請求項１２の有価媒体処理システムにおいて、
前記管理装置が備える前記記憶部は、前記収納部に収納された有価媒体の個別情報が登録される収納媒体情報データベースを格納しており、
前記有価媒体処理装置が備える前記制御部は、前記分類回収処理において、前記収納媒体情報データベースを参照して、有価媒体の分類を行う
ことを特徴とする有価媒体処理システム。
【請求項１４】
有価媒体が投入される投入部と、有価媒体が払い出される払出部と、有価媒体を収納するとともに、収納された有価媒体を繰り出す複数個の収納部とを備えた有価媒体処理装置における、有価媒体の処理方法であって、
前記複数個の収納部の中の第１収納部から有価媒体を繰り出し、
前記第１収納部から繰り出した有価媒体のうち、優先して払い出す有価媒体の条件を示す優先度情報が示す第１条件を満たす有価媒体を、前記払出部に搬送し、
前記第１収納部から繰り出した有価媒体のうち、前記第１条件を満たさない有価媒体を、前記複数個の収納部の中の前記第１収納部以外の第２収納部に搬送する
ことを特徴とする有価媒体処理方法。
【発明の詳細な説明】
【技術分野】
【０００１】
ここに開示する技術は、小切手等の有価媒体を処理する有価媒体処理装置に関する。
【背景技術】
【０００２】
従来、銀行等の金融機関では、行内で取り扱う貨幣を管理するための出納業務が行われている。出納業務は、安全性、確実性及び省力化の観点からなるべく人手を介さず、出納機等の有価媒体処理装置を利用して行われることが多くなっている。有価媒体処理装置は、硬貨、紙幣、小切手等の有価証券の入出金処理及び管理等、有価媒体に係る種々の処理を実行する機能を有している。
【０００３】
特許文献１には、有価媒体（主に汚損紙幣、小切手等）を適正かつ厳正に管理する有価媒体処理装置の構成が開示されている。
【先行技術文献】
【特許文献】
【０００４】
【特許文献１】特開２０１４−７１５２３号公報
【発明の概要】
【発明が解決しようとする課題】
【０００５】
例えば有価媒体の１つである小切手は、これを現金化するためには、対応する交換所において交換を行う必要がある。ところが、小切手を交換できる交換所は、その小切手の発行元によってそれぞれ異なっている。このため、有価媒体処理装置から小切手を回収したときは、これらを交換できる交換所毎に分類する必要がある。ところが現状では、有価媒体処理装置から回収した小切手を手作業で分類しているので、作業工数がかかるとともに、手作業による分類ミスが起きやすいという問題がある。これは、小切手以外の有価媒体を分類して回収する業務においても、共通の問題である。
【０００６】
ここに開示する技術は、かかる点に鑑みてなされたものであり、有価媒体処理装置において、収納された有価媒体を、所定の条件で分類した状態で回収可能にすることを目的とする。
【課題を解決するための手段】
【０００７】
ここに開示する技術は、有価媒体処理装置であって、有価媒体が投入される投入部と、有価媒体が払い出される払出部と、有価媒体を収納するとともに、収納された有価媒体を繰り出す複数個の収納部と、有価媒体を搬送する搬送部と、前記有価媒体処理装置の動作を制御する制御部とを備え、前記制御部は、前記収納部に収納された有価媒体を、優先して払い出す有価媒体の条件を示す優先度情報に基づいて分類して、前記払出部から払い出す分類回収処理を行うよう、前記有価媒体処理装置を制御する。
【０００８】
この構成によると、有価媒体処理装置において、制御部が分類回収処理を行うことにより、収納部に収納された小切手等の有価媒体は、優先して払い出す有価媒体の条件を示す優先度情報に基づいて分類されて、払出部から払い出される。このため、有価媒体処理装置から、有価媒体を条件毎に分類した状態で回収することができるので、回収後に有価媒体を分類する手作業を不要にできる。したがって、作業工数を削減できるとともに、手作業による分類ミスを回避することができる。
【０００９】
そして、上述の有価媒体処理装置において、前記制御部は、前記分類回収処理において、前記複数個の収納部の中の第１収納部に収納された有価媒体を繰り出し、前記搬送部を制御して、前記優先度情報が示す第１条件を満たす有価媒体を、前記払出部に搬送するともに、前記第１条件を満たさない有価媒体を、前記複数個の収納部の中の前記第１収納部以外の第２収納部に搬送する、としてもよい。
【００１０】
これにより、分類回収処理において、第１収納部から繰り出された有価媒体のうち、優先度情報が示す第１条件を満たす有価媒体は払い出される一方、第１条件を満たさない有価媒体は第２収納部に搬送される。したがって、第１条件を満たす有価媒体を優先して払い出すことができる。
【００１１】
さらに、前記制御部は、前記分類回収処理において、前記第２収納部に収納された有価媒体を繰り出し、前記搬送部を制御して、前記優先度情報が示す第２条件を満たす有価媒体を、前記払出部に搬送するとともに、前記第２条件を満たさない有価媒体を、前記複数個の収納部の中の前記第２収納部以外の収納部に搬送する、としてもよい。
【００１２】
これにより、分類回収処理において、第２収納部に収納された有価媒体は繰り出され、繰り出された有価媒体のうち、優先度情報が示す第２条件を満たす有価媒体は払い出される一方、第２条件を満たさない有価媒体は第２収納部以外の収納部に収納される。したがって、第１条件を満たす有価媒体の次に、第２条件を満たす有価媒体を優先して払い出すことができる。
【００１３】
ここで、有価媒体の分類回収を行うために、有価媒体処理装置に多数の収納部を設けて、有価媒体の投入時に、各収納部に予め分類して収納する構成も考えられる。ところが、この場合、装置構成が大がかりになってしまい、装置の大型化やコストアップにつながる。また、１つの収納部がフル状態になりやすい。本開示では、簡易な構成によって、有価媒体の分類回収を実現することができる。
【００１４】
さらに、前記第２収納部以外の収納部は、複数個、設けられており、前記制御部は、前記第２収納部から繰り出された有価媒体のうち前記第２条件を満たさない有価媒体を、前記優先度情報が示す前記第１および第２条件以外の条件に基づいて、前記第２収納部以外の複数の前記収納部に分類して搬送する、としてもよい。
【００１５】
これにより、第１および第２条件を満たさない有価媒体は、他の条件に基づいて、複数の収納部に分類して収納される。したがって、その後、第１および第２条件を満たさない有価媒体を、容易に、分類して払い出すことができる。
【００１６】
また、前記第２収納部は、前記投入部に投入された有価媒体を一時保留する保留部である、としてもよい。
【００１７】
これにより、保留部を用いて、有価媒体の分類回収処理を行うことができる。
【００１８】
また、前記有価媒体は、小切手または手形であり、前記優先度情報が示す条件は、前記小切手または手形を交換できる交換所に関するものである、としてもよい。
【００１９】
これにより、小切手または手形を、交換できる交換所に関する条件に基づいて分類した状態で、回収することができる。
【００２０】
また、上述の有価媒体処理装置は、前記優先度情報を格納する記憶部を備え、前記記憶部に格納された前記優先度情報は、操作部を介して、設定および変更が可能である、としてもよい。
【００２１】
これにより、優先度情報は、有価媒体処理装置の外部から、操作部を介して、設定および変更を行うことができる。
【００２２】
また、上述の有価媒体処理装置は、前記収納部に収納された有価媒体の個別情報を管理する収納媒体情報データベースを格納する記憶部を備え、前記制御部は、前記分類回収処理において、前記収納媒体情報データベースを参照して、有価媒体の分類を行う、としてもよい。
【００２３】
これにより、収納媒体情報データベースによって、収納部に収納された有価媒体の個別情報が管理されるので、分類回収処理において、有価媒体の分類を容易に行うことができる。
【００２４】
そして、上述の有価媒体処理装置において、前記制御部は、前記優先度情報を、前記収納媒体情報データベースに管理された有価媒体の個別情報に基づいて、設定する、としてもよい。
【００２５】
これにより、優先度情報は、収納媒体情報データベースに管理された有価媒体の個別情報に基づいて、設定される。
【００２６】
また、上述の有価媒体処理装置において、前記制御部は、前記優先度情報が示す条件を満たす有価媒体を前記払出部から払い出すとき、前記条件と、前記収納媒体情報データベースに管理された、払い出す有価媒体の個別情報とを含むリストを作成する、としてもよい。
【００２７】
これにより、分類回収処理において有価媒体が払い出されたとき、操作者は、出力されたリストから、優先された条件と有価媒体の個別情報とを確認することができる。
【００２８】
また、上述の有価媒体処理装置において、前記制御部は、前記収納媒体情報データベースに含まれた有価媒体の個別情報を、前記優先度情報に従って整理したリストを作成する、としてもよい。
【００２９】
これにより、操作者は、作成されたリストから、優先度情報に基づいた有価媒体の分類の状況を容易に認識することができる。
【００３０】
また、ここに開示する技術は、上述の有価媒体処理装置と、前記有価媒体処理装置を管理する管理装置とを備えた有価媒体処理システムであって、前記管理装置は、前記優先度情報を格納する記憶部を備え、前記優先度情報を前記有価媒体処理装置に送信可能に構成されている。
【００３１】
これにより、管理装置において、優先度情報を管理することができる。
【００３２】
また、上述の有価媒体処理システムにおいて、前記管理装置が備える前記記憶部は、前記収納部に収納された有価媒体の個別情報が登録される収納媒体情報データベースを格納しており、前記有価媒体処理装置が備える前記制御部は、前記分類回収処理において、前記収納媒体情報データベースを参照して、有価媒体の分類を行う、としてもよい。
【００３３】
これにより、収納媒体情報データベースによって、収納部に収納された有価媒体の個別情報が管理されるので、分類回収処理において、有価媒体の分類を容易に行うことができる。
【００３４】
また、ここに開示する技術は、有価媒体が投入される投入部と、有価媒体が払い出される払出部と、有価媒体を収納するとともに、収納された有価媒体を繰り出す複数個の収納部とを備えた有価媒体処理装置における、有価媒体の処理方法であって、前記複数個の収納部の中の第１収納部から有価媒体を繰り出し、前記第１収納部から繰り出した有価媒体のうち、優先して払い出す有価媒体の条件を示す優先度情報が示す第１条件を満たす有価媒体を、前記払出部に搬送し、前記第１収納部から繰り出した有価媒体のうち、前記第１条件を満たさない有価媒体を、前記複数個の収納部の中の前記第１収納部以外の第２収納部に搬送する。
【００３５】
これにより、第１収納部から繰り出された有価媒体のうち、優先度情報が示す第１条件を満たす有価媒体は払い出される一方、第１条件を満たさない有価媒体は第１収納部以外の第２収納部に搬送される。したがって、簡易な構成によって、第１条件を満たす有価媒体を優先して払い出すことができる。
【発明の効果】
【００３６】
本開示によると、有価媒体処理装置において、有価媒体を条件毎に分類した状態で回収可能になり、回収後の分類作業を不要にできる。したがって、作業工数を削減できるとともに、手作業による分類ミスを回避することが可能になる。
【図面の簡単な説明】
【００３７】
【図１】実施形態に係る有価媒体処理装置を含む有価媒体処理システムの全体構成例
【図２】実施形態に係る有価媒体処理装置の内部構成図
【図３】実施形態に係る有価媒体処理装置の機能構成を示すブロック図
【図４】優先度情報の一例
【図５】収納媒体情報データベースの一例
【図６】小切手の入金処理を示すフローチャート
【図７】小切手の入金処理における有価媒体処理装置の動作のイメージ図
【図８】小切手の分類回収処理を示すフローチャート
【図９】小切手の分類回収処理における有価媒体処理装置の動作のイメージ図
【図１０】小切手の分類回収処理における有価媒体処理装置の具体的な動作例を示す図
【図１１】図１０の動作例の過程における収納媒体情報データベースの一例
【図１２】図１０の動作例の過程における収納媒体情報データベースの一例
【発明を実施するための形態】
【００３８】
以下、実施形態について、図面に基づいて詳細に説明する。本開示に係る有価媒体処理装置が処理対象とする「有価媒体」は、硬貨、紙幣、小切手等の有価証券を含む。本実施形態では、有価媒体の一例として小切手を処理対象として、説明を行う。
【００３９】
＜システムの全体構成例＞
図１は実施形態に係る有価媒体処理装置を含む有価媒体処理システムの一例の外観図である。図１に示す有価媒体処理システム１は、バラ紙幣処理部１００及び束紙幣処理部２００からなる紙幣処理装置１０と、バラ硬貨処理部３００及び包装硬貨処理部４００からなる硬貨処理装置２０と、硬貨処理装置２０等による機械受付ができない損貨および記念硬貨を処理する損貨処理装置５００と、紙幣処理装置１０等による機械受付ができない損券、小切手、手形等を処理する有価媒体処理装置６００とを備えている。紙幣処理装置１０及び硬貨処理装置２０の上面には、それぞれ、タッチパネルである操作表示部７００と、プリンタ８００とが配置されている。ユーザは、操作表示部７００を介して各装置の操作を行い、操作表示部７００の画面において各種の情報の確認を行い、必要な情報をプリンタ８００から出力させる。また、有価媒体処理システム１は、例えば銀行にある管理コンピュータ２と通信可能に構成されていてもよい。この管理コンピュータ２は、銀行窓口にある窓口端末等の他の装置と接続されている。
【００４０】
＜有価媒体処理装置の構成例＞
図２は有価媒体処理装置６００の内部構成図である。図２では、図面左側の面が有価媒体処理装置６００の前面となっており、図面右側の面が有価媒体処理装置６００の背面となっている。
【００４１】
図２に示すように、有価媒体処理装置６００には、小切手等の有価媒体を機体内に投入するための投入部１０と、機体内に収納された有価媒体を機体外に払い出すための払出部６０とが設けられている。投入部１０および払出部６０は、有価媒体処理装置６００の機体前面（図２における左側の面）に設けられている。また、投入部１０には繰出機構１２が設けられており、操作者によって投入部１０に束状態で投入された有価媒体は、この繰出機構１２により１枚ずつ機体内に繰り出される。搬送部１４は、投入部１０から繰出機構１２により１枚ずつ繰り出された有価媒体を、１枚ずつ搬送する。
【００４２】
搬送部１４に、撮像部１６が設けられている。撮像部１６は、投入された有価媒体を撮像して画像データを取得する。また、保留部２０は、投入された有価媒体を一時的に保留する。ここでは保留部２０は、有価媒体をテープに挟んで巻き取るテープ巻取方式のものである。より具体的には、保留部２０は、正逆両方向に回転可能なドラム２０ａを有しており、このドラム２０ａによって一対のテープを巻き取ったり送り出したりする。保留部２０に送られた有価媒体は、この一対のテープの間に挟まれた状態で１枚ずつ順次ドラム２０ａにより巻き取られて収納される。また、ドラム２０ａを逆転させると、巻き取られた有価媒体が１枚ずつ繰り出されて、搬送部１４に送り出される。
【００４３】
また、有価媒体処理装置６００の機体内には、小切手を収納する小切手収納部３０と、損券や旧券を収納する損券収納部４０，４２とが設けられている。ここでは、小切手収納部３０は、第１収納部３０ａ、第２収納部３０ｂ及び第３収納部３０ｃの３つの収納部から構成されている。各収納部３０ａ，３０ｂ及び３０ｃは集積方式の収納部であり、搬送部１４から収納部３０ａ，３０ｂ及び３０ｃに送られた小切手は、既に収納部３０ａ，３０ｂ，３０ｃに収納されている小切手の上に積み重ねられるようにして収納される。また、収納された小切手を繰り出す機能を備えている。なお、小切手収納部３０は、小切手以外の手形等の有価証券を収納してもよい。小切手収納部３０は、本開示における収納部の一例である。
【００４４】
損券収納部４０は集積方式の収納部であり、搬送部１４から損券収納部４０に送られた損券や旧券は、既に損券収納部４０に収納されている損券や旧券の上に積み重ねられるようにして収納される。一方、損券収納部４２はテープ巻取方式の収納部である。より具体的には、損券収納部４２は、保留部２０と同様に、正逆両方向に回転可能なドラム４２ａを有している。そして、損券収納部４２に送られた損券や旧券は、この一対のテープの間に挟まれた状態で１枚ずつ順次ドラム４２ａにより巻き取られて収納される。また、ドラム４２ａを逆転させると、巻き取られた損券や旧券が１枚ずつ繰り出されて、搬送部１４に送出される。
【００４５】
また、有価媒体処理装置５００の機体内には、新券を収納する新券収納部５０が設けられている。ここでは、新券収納部５０は、第１収納部５０ａ、第２収納部５０ｂ、第３収納部５０ｃ及び第４収納部５０ｄからなる４つの収納部から構成されている。各収納部５０ａ，５０ｂ，５０ｃ，５０ｄに収納されている新券は、それぞれ繰出機構５２ａ，５２ｂ，５２ｃ，５２ｄにより、搬送部１４に１枚ずつ繰り出される。
【００４６】
払出部６０は搬送部１４に接続されており、搬送部１４によって搬送された有価媒体は当該払出部６０で積み重ねるようにして投出される。払出部６０には羽根車６２が設けられており、搬送部１４から羽根車６２に送られた有価媒体は、羽根車６２を形成する一対の羽根の間に挟まれた状態で当該羽根車６２が図２における反時計回りの方向に回転することにより、払出部６０に送られる。また、払出部６０にはシャッタ６１ａが設けられており、操作者は、このシャッタ６１ａが開放状態となったときに、払出部６０に集積された有価媒体を取り出すことができる。また、払出部６０には抜き取り検知部６１ｂが設けられており、払出部６０に集積された有価媒体が抜き取られたことを検知できるようになっている。
【００４７】
また、搬送部１４は、第１搬送部１４ａ及び第２搬送部１４ｂから構成されている。第１搬送部１４ａは、投入部１０から機体内に投入された有価媒体を、保留部２０、小切手収納部３０、損券収納部４０，４２に搬送する。第２搬送部１４ｂは、新券収納部５０に収納された新券を払出部６０に搬送する。ここで、第１搬送部１４ａの搬送路と第２搬送部１４ｂの搬送路とは、互いに独立して設けられている。すなわち、第１搬送部１４ａは図２に示す仮想線Ｌの右側に設けられており、第２搬送部１４ｂは仮想線Ｌの左側に設けられている。第１搬送部１４ａ及び第２搬送部１４ｂは、接続箇所１４ｐで接続されているが、それ以外の箇所では互いに独立したものとなっている。
【００４８】
また、第２の搬送部１４ｂに簡易識別部６４が設けられている。簡易識別部６４は、新券収納部５０から繰り出された新券の金種を識別する。また、有価媒体処理装置６００の前面（図３における左側の側面）には扉１８が設けられており、特定の権限を有する者が扉１８を開けて有価媒体処理装置６００の機体内部にアクセスできるようになっている。
【００４９】
図３は有価媒体処理装置６００の機能構成の概略を示すブロック図である。図３において、制御部８０は、有価媒体処理装置６００の各構成要素の制御を行うものであり、具体的には、搬送部１４の搬送動作、投入部１０、小切手収納部３０、損券収納部４０，４２、新券収納部５０、保留部２０、投出部６０等の機構の動作、撮像部１６の撮像動作等を制御する。制御部８０はまた、小切手収納部３０に収納された小切手、損券収納部４０，４２に収納された損券、新券収納部５０に収納された新券の枚数や金額等のデータも管理する。記憶部８２は、各制御に必要となる設定値や管理されているデータ等を格納している。制御部８０は、通信部８４を介して、表示部７１０、操作部７２０およびプリンタ８００と接続されている。表示部７１０および操作部７２０は、ここではタッチパネルである操作表示部７００によって実現されている。
【００５０】
本実施形態に係る有価媒体処理装置６００は、小切手収納部３０に収納された小切手を、優先度情報に基づいて分類して、払出部６０から払い出す分類回収処理を実行可能なように構成されている。ここで、優先度情報とは、優先して払い出す小切手の条件を示す情報である。なお、分類回収処理の詳細については後述する。
【００５１】
図４は記憶部８２に格納された優先度情報８２２の一例である。図４の例では、優先度情報８２２が示す条件は、小切手を交換できる交換所に関するものである。すなわち、小切手収納部３０に収納された小切手について、その小切手を交換できる交換所に基づいて、優先度を定めている。ここでは、交換所を特定する情報として、交換所番号を用いている。具体的には、最も優先度が高い優先度１として、Ａ交換所を特定する交換所番号「１２１２」が設定されており、次に優先度が高い優先度２として、Ｂ交換所を特定する交換所番号「３４３４」が設定されている。そして、優先度３として、その他の交換所番号が設定されている。なおここでは、その他の交換所番号は、Ｃ交換所を特定する交換所番号「５６５６」およびＤ交換所を特定する交換所番号「７８７８」を含むものとする。
【００５２】
図５は記憶部８２に格納された収納媒体情報データベース８２１の一例である。図５の例は、収納媒体情報データベース８２１に格納された情報のうち、小切手収納部３０ａに関する情報を示している。図５に示すように、小切手収納部３０ａに収納された各小切手について、個別情報が管理されている。図５の例では、個別情報の項目は、収納された順番、小切手を特定する媒体コード、券種、入金日時、取引ＩＤ、入金者ＩＤ、金額、交換所番号、および、小切手のイメージデータとしている。他の小切手収納部３０ｂ，３０ｃ）に関しても、図５と同様の情報が格納される。また、後述するが、小切手が保留部２０に一時保留されたとき、保留部２０に関しても、図５と同様の個別情報が収納媒体情報データベース８２１に格納される。
【００５３】
小切手の個別情報は、有価媒体処理装置６００への投入時に自動的に取得される。操作者は、自動的に取得された個別情報を、表示部７１０を介して確認することができる。そして必要に応じて、操作部７２０を介して個別情報を修正することができる。また、小切手の個別情報の一部が取得できない等の場合には、操作者は、操作部７２０を介して情報入力することができる。
【００５４】
収納媒体情報データベース８２１によって、小切手収納部３０に収納された小切手の個別情報が管理されるので、後述する分類回収処理において、小切手の分類を容易に行うことができる。
【００５５】
＜有価媒体処理装置の動作例＞
図２および図３に示す有価媒体処理装置６００において実行される処理とそのときの動作について、例を挙げて説明する。なお、以下に示す動作は、制御部８０が有価媒体処理装置６００の各構成要素を制御することにより行われる。
【００５６】
（小切手の入金処理）
図６は小切手の入金処理における処理の流れを示すフローチャートである。また、図７は小切手の入金処理における有価媒体処理装置６００の動作のイメージ図である。
【００５７】
まず、操作者は、所有するＩＤカードを有価媒体処理システム１のＩＤカードリーダ（図示せず）に読み取らせる（Ｓ１０１）。ＩＤカードリーダは、例えば操作表示部７００の近辺等に設置されている。有価媒体処理システム１の制御部（図示せず）は、ＩＤカードのＩＤ情報に基づいて、操作者の権限等を確認する。次に、操作者は、有価媒体処理システム１の操作表示部７００を操作して入金モードを選択する（Ｓ１０２）。ここでは、小切手の入金モードが選択される。
【００５８】
その後、操作者は、有価媒体処理装置６００の投入部１０に小切手を投入する。投入された小切手は、繰出機構１２により有価媒体処理装置６００の機体内に１枚ずつ取り込まれ、搬送部１４によって搬送される（Ｓ１０３）。搬送された小切手は、撮像部１６によって画像が撮像される。有価媒体処理装置６００の制御部８０は、撮像された画像データを基にして、小切手に異常（例えば、斜行や二重送り等の搬送異常）がないか否かを判別する（Ｓ１０４）。異常がないときは（Ｓ１０４でＹｅｓ）、制御部８０は小切手の画像データを記憶部８２等に記憶し（Ｓ１０７）、図７の左側の図に太線で示すように、小切手は保留部２０に搬送され一時的に保留される（Ｓ１０８）。一方、小切手に異常があるときは（Ｓ１０４でＮｏ）、この小切手は払出部６０に搬送され、機体外に返却される（Ｓ１０５）。そして、次の小切手が投入部１０にあるときはＳ１０３に戻り、ないときは処理を終了する（Ｓ１０６）。
【００５９】
小切手が保留部２０に一時的に保留されると（Ｓ１０８）、操作表示部７００には、撮像部１６により撮像された小切手の画像データが表示される（Ｓ１０９）。操作者は、操作表示部７００に表示された小切手の画像データに基づいて、操作表示部７００を介して入金データを入力する（Ｓ１１０）。ここで、入金データとは、有価媒体の券種や価値等を示すデータのことをいう。なお、本実施形態では、小切手の入金データに、交換所番号が含まれる。一部のデータについては、画像データ等から自動的に取得されるようにしてもよい。操作者は、自動的に取得されたデータについて、操作表示部７００を介して確認および修正を行うことができる。
【００６０】
以上の動作が、投入部１０に投入された小切手が全て有価媒体処理装置６００の機内に取り込まれるまで、繰り返し行われる（Ｓ１１１）。取り込まれた小切手は保留部２０に一時保留されている。そして、操作表示部７００に、入金データの確定を求める旨の表示がなされる（Ｓ１１２）。操作者が入金データの確定の指令を行うと（Ｓ１１２でＹｅｓ）、図７の右側の図のように、保留部２０に一時的に保留された小切手は搬送部１４によって１枚ずつ搬送され、小切手収納部３０に収納される（Ｓ１１３）。このとき、例えば小切手の種類によって、第１収納部３０ａ，第２収納部３０ｂおよび第３収納部３０ｃに分類して小切手を収納してもよい。入力された入金データは、有価媒体処理装置６００の記憶部８２に記憶される（Ｓ１１４）。ここで、入金明細が印字された入金レシートを発行してもよい。一方、操作者が入金データの確定を行わないで（Ｓ１１２でＮｏ）、入金データの修正を行う場合は（Ｓ１１５のＹｅｓ）、入金データの修正が行われた（Ｓ１１７）後、操作表示部７００に、修正された入金データの確定を求める旨の表示がなされる。一方、入金データの修正も行われず、操作表示部７００を介して小切手の返却の指令が入力された場合は（Ｓ１１５のＮｏ）、保留部２０に一時的に保留された小切手は搬送部１４によって払出部６０に搬送され、機体外に返却される（Ｓ１１６）。このようにして、小切手の入金処理が完了する。
【００６１】
（小切手の分類回収処理）
本開示における分類回収処理とは、収納部に収納された有価媒体を、優先して装置外へ払い出す有価媒体の条件を示す優先度情報に基づいて分類して、払出部から払い出す処理である。本実施形態では、分類回収処理として、小切手収納部３０に収納された小切手を、図４に示すような、小切手を交換できる交換所に関する優先度情報に基づいて分類し、払出部６０から払い出す。また、有価媒体処理装置６００は、本開示における複数個の収納部として、小切手収納部３０および保留部２０を備えており、優先度の低い小切手の退避先として、保留部２０を用いるものとする。
【００６２】
操作者は、小切手の分類回収処理を実行する前に、分類回収に用いる優先度情報を設定する。有価媒体処理装置６００は、操作手段の一例である操作表示部７００を介して、優先度情報を設定および変更可能なように構成されている。操作者は、日頃の取引内容等を考慮して、操作表示部７００を介して優先度情報を設定する。これにより、図４に示すような優先度情報８２２が記憶部８２に設定される。
【００６３】
また、有価媒体処理装置６００の制御部８０は、収納媒体情報データベース８２１に格納された有価媒体の個別情報に基づいて、優先度情報８２２を自動的に設定可能なように構成されていてもよい。例えば、操作表示部７００を介して、優先度の条件項目として「交換所」が与えられたとき、収納媒体情報データベース８２１に含まれた小切手の個別情報を参照し、交換所の優先度を、小切手の枚数の多い順に設定する。また、自動的に設定された優先度情報を操作表示部７００に表示し、操作者が、操作表示部７００を介して、表示された優先度情報を修正したり承認したりするようにしてもよい。
【００６４】
図８は小切手の分類回収処理における処理の流れを示すフローチャートである。また、図９は小切手の分類回収処理における有価媒体処理装置６００の動作のイメージ図である。
【００６５】
まず、操作者は、所有するＩＤカードを図１に示す有価媒体処理システム１のＩＤカードリーダ（図示せず）に読み取らせる（Ｓ２０１）。有価媒体処理システム１の制御部（図示せず）は、ＩＤカードのＩＤ情報に基づいて、操作者の権限等を確認する。次に、操作者は、有価媒体処理システム１の操作表示部７００を操作して回収モードを選択する（Ｓ２０２）。ここでは、小切手の分類回収モードが選択される。なお、他の回収モードとして、「全回収」「交換所指定回収」「媒体指定回収」等があってもよい。
【００６６】
分類回収モードが選択されると、有価媒体処理装置６００の制御部８０は、記憶部８２に格納された優先度情報８２２を確認する（Ｓ２０３）。そして、小切手収納部３０から小切手を１枚ずつ繰り出す（Ｓ２０４）。繰り出した小切手を、優先度１の条件を満たすか否かに応じて、払出部６０または保留部２０に振り分けて搬送する（Ｓ２０５）。繰り出した小切手が優先度１の条件を満たすときは、図９の左側の図における経路（ａ）のように、払出部６０に搬送される。一方、繰り出した小切手が優先度１の条件を満たさないときは、図９の左側の図における経路（ｂ）のように、保留部２０に搬送される。このような動作が、小切手収納部３０に収納された小切手がなくなるまで繰り返し行われる（Ｓ２０６）。
【００６７】
次に、保留部２０から小切手を１枚ずつ繰り出す（Ｓ２０７，Ｓ２０８）。繰り出した小切手を、優先度２の条件を満たすか否かに応じて、払出部６０または小切手収納部３０に振り分けて搬送する（Ｓ２０９）。繰り出した小切手が優先度２の条件を満たすときは、図９の右側の図における経路（ｃ）のように、払出部６０に搬送される。一方、繰り出した小切手が優先度２の条件を満たさないときは、図９の右側の図における経路（ｄ）のように、小切手収納部３０に搬送される。このような動作が、保留部２０に一時保留された小切手がなくなるまで繰り返し行われる（Ｓ２１０）。
【００６８】
上のような動作を、優先度の条件毎に繰り返し行う。繰り返しの最後には、残った小切手は全て払出部６０に搬送される。そして、小切手収納部３０に収納されていた小切手が全て払出部６０に搬送されたとき（Ｓ２０７でＮｏ、Ｓ２１１でＮｏ）、払出部６０のシャッタ６１ａを開放する（Ｓ２１２）。操作者は、優先度の条件に従って並んだ小切手を払出部６０から取り出すことができる。なお、優先度の条件が同じである小切手が払出部６０に搬送される度に、払出部６０のシャッタ６１ａを開放するようにしてもよい。これにより、操作者は、優先度の条件毎に、小切手を払出部６０から取り出すことができる。
【００６９】
図１０を用いて具体的な動作例を説明する。いま、小切手収納部３０ａに７枚の小切手が収納されており、図５に示すような個別情報が収納媒体情報データベース８２２に登録されているものとする（状態１）。また、図４に示すような優先度情報８２１が設定されているものとする。小切手の分類回収処理において、まず、優先度１すなわち交換所番号「１２１２」（Ａ交換所）である小切手が経路（ａ）を介して払出部６０に搬送され、それ以外の小切手は経路（ｂ）を介して保留部２０に搬送される。この結果、小切手収納部３０ａは空きになり、３枚の小切手が払出部６０に搬送され、残りの４枚の小切手が保留部２０に一時的に保留される（状態２）。このとき、保留部２０に関する図１１に示すような小切手の個別情報が、収納媒体情報データベース８２２に保存される。図１１の個別情報では、払い出された小切手、すなわち交換所番号「１２１２」である小切手の個別情報が削除されている。
【００７０】
次に、優先度２すなわち交換所番号「３４３４」（Ｂ交換所）である小切手が経路（ｃ）を介して払出部６０に搬送され、それ以外の小切手は経路（ｄ）を介して小切手収納部３０ａに搬送される。この結果、２枚の小切手が払出部６０に搬送され、残りの２枚の小切手が小切手収納部３０ａに収納される（状態３）。このとき、小切手収納部３０ａに関する図１２に示すような小切手の個別情報が、収納媒体情報データベース８２２に保存される。図１２の個別情報では、払い出された小切手、すなわち交換所番号「３４３４」である小切手の個別情報が削除されている。最後に、優先度３すなわちその他の小切手が払出部６０に搬送される。
【００７１】
以上のように本実施形態によると、有価媒体処理装置６００において、制御部８０が分類回収処理を行うことにより、小切手収納部３０に収納された小切手は、交換所番号に関する優先度情報に基づいて分類されて、払出部６０から払い出される。このため、有価媒体処理装置６００から、小切手を交換所毎に分類した状態で回収することができるので、回収後に小切手を交換所毎に分類する手作業を不要にできる。したがって、作業工数を削減できるとともに、手作業による分類ミスを回避することができる。
【００７２】
また、分類回収処理において、小切手収納部３０から繰り出された小切手のうち、優先度１を満たす小切手は払い出される一方、優先度１を満たさない小切手は保留部２０に保留される。したがって、優先度１を満たす小切手を優先して払い出すことができる。また、保留部２０から繰り出された小切手のうち、優先度２を満たす小切手は払い出される一方、優先度２を満たさない小切手は小切手収納部３０に収納される。したがって、優先度１を満たす小切手の次に、優先度２を満たす小切手を優先して払い出すことができる。
【００７３】
ここで、小切手の分類回収を行うために、有価媒体処理装置に多数の収納部を設けて、小切手の投入時に、各収納部に予め分類して収納する構成も考えられる。ところが、この場合、装置構成が大がかりになってしまい、装置の大型化やコストアップにつながる。また、１つの収納部がフル状態になりやすい。本実施形態では、簡易な構成によって、小切手の分類回収を実現することができる。
【００７４】
（変形例）
なお、上で説明した分類回収処理において、小切手を保留部２０から小切手収納部３０に戻す際に、小切手を優先度に従って分類して、第１〜第３小切手収納部３０ａ〜３０ｃに振り分けてもよい。例えば、図４に示す優先度情報８２２において、優先度３として交換所番号「５６５６」（Ｃ交換所）が設定されており、優先度４として交換所番号「７８７８」（Ｄ交換所）が設定されているものとする。図１０に示した具体例において、状態２から状態３に遷移する際に、例えば、優先度３すなわち交換所番号「５６５６」である小切手が小切手収納部３０ａに搬送され、優先度４すなわち交換所番号「７８７８」である小切手が小切手収納部３０ｂに搬送される。そして次の払出時において、小切手収納部３０ａから優先度３の小切手を払出部６０に搬送し、続いて、小切手収納部３０ｂから優先度４の小切手を払出部６０に搬送する。このような動作によって、保留部２０を経由することなく、優先度３，４の小切手の分類回収が可能になる。
【００７５】
また、上で説明した分類回収処理において、必ずしも、収納されている小切手を全て回収する必要はない。例えば、優先度１，２の小切手を分類回収し、その他の小切手は有価媒体処理装置６００の機内、例えば小切手収納部３０に残すようにしてもよい。なお、小切手収納部３０内に残された小切手は、別のタイミングにおいて回収されることになる。
【００７６】
＜他の処理＞
（その１）
有価媒体処理装置６００は、ある優先度の小切手を払い出すとき、払い出した小切手のリストを出力してもよい。これにより、操作者は、払い出された小切手とそのリストをセットにして移送することができる。リストには例えば、優先度の条件（上の例では交換所番号）と、回収枚数、回収日時、個別の金額、合計金額等の小切手の小切手情報等を記載すればよい。すなわち、制御部８０は、ある優先度の小切手を払い出すとき、優先度の条件と、収納媒体情報データベース８２１に管理された、払い出す小切手の個別情報とを含むリストを作成する機能を有する。制御部８０によって作成されたリストは、プリンタ８００から出力してもよいし、あるいは操作表示部７００の表示部７１０に表示してもよい。
【００７７】
（その２）
上で説明した分類回収処理では、優先度の低い小切手を、保留部２０に退避させるものとした。ただし、優先度の低い小切手の退避先は、保留部２０に限定されるものではない。例えば、小切手収納部３０の中の、容量に余裕がある他の収納部に退避させるなど、通常の収納部の１つまたは複数個を退避先として用いてもよい。あるいは、オーバーフロー収納部を備えている装置であれば、そのオーバーフロー収納部に小切手を退避させてもよい。すなわち、有価媒体処理装置が複数個の収納部を備えており、その複数個の収納部のいずれかを、優先度の低い小切手の退避先として用いればよい。
【００７８】
（その３）
有価媒体処理装置６００は、例えば分類回収処理を実行する前に、優先度の条件に従って整理した小切手の個別情報のリストを作成してもよい。作成されたリストは、操作表示部７００の表示部７１０に表示したり、またはプリンタ８００から印刷したりすればよい。これにより、操作者は、どのような分類回収が行われるかを、分類回収処理の前に確認することができる。すなわち、制御部８０は、収納媒体情報データベース８２１に含まれた小切手の個別情報を、優先度情報８２２に従って整理したリストを作成する機能を有する。
【００７９】
（その４）
優先度は、交換所以外の項目について設定してもよい。例えば、金額の範囲で優先度を設定してもよいし、金融機関によって優先度を設定してもよい。また、複数の交換所を１つのグループとし、各グループに優先度を設定してもよい。
【００８０】
また、小切手以外の有価媒体、例えば手形や紙幣に関しても、上で説明したような分類回収処理を実行することは可能である。例えば、手形は小切手と同様に、入金処理時に交換所番号を入力するので、交換所番号に優先度を設定することによって、上と同様に分類回収処理を実行できる。また例えば、有価媒体処理装置６００が、小切手や手形等の有価証券を一括して収納する収納部を備えている場合には、有価証券の種類（例えば、法人小切手、約束手形等）で優先度を設定することによって、上と同様に分類回収処理を実行できる。また例えば、損券収納部４０，４２には複数金種の損券が収納されているので、金種で優先度を設定することによって、上と同様に分類回収処理を実行できる。また例えば、有価媒体処理装置６００が損券、旧券、オーバーフロー紙幣等が一括して収納される紙幣一括収納部を備えている場合には、紙幣の種類で優先度を設定することによって、上と同様に分類回収処理を実行することができる。
【００８１】
（他の実施形態）
（その１）
上述した有価媒体処理装置６００において、払出部６０につながる搬送路（図９の左側の図における経路（ａ））に、撮像部等の検出手段を配置し、払い出される小切手の現物チェックを行うようにしてもよい。例えば、優先度１の小切手を払い出している際に、検出手段により優先度１以外の小切手が検出されたときは、搬送を停止して、音声等により警告を発するようにする。
【００８２】
また、小切手収納部３０から振り分け位置までの間の搬送路と、保留部２０から振り分け位置までの間の搬送路とに、撮像部等の検出手段を配置し、搬送される小切手の識別を行うようにしてもよい。その識別結果から小切手の搬送先を振り分ける。例えば、磁気インク文字を読み取る機能を有する検出手段を配置し、この検出手段によって小切手の交換所番号を読み取り、読み取った交換所番号と優先度情報８２２とに基づいて、小切手の搬送先を決定する。このような構成であれば、収納媒体情報データベース８２１は、分類回収処理を行う際に必ずしも必要ではない。
【００８３】
（その２）
上述した実施形態では、収納媒体情報データベース８２１および優先度情報８２２は、有価媒体処理装置６００の記憶部８２に保存するものとした。この代わりに、有価媒体処理装置６００の外部、例えば、有価媒体処理システム１を管理する管理装置の一例である管理コンピュータ２に保存するようにしてもよい。すなわち、管理コンピュータ２は、優先度情報８２２を格納する記憶部を備え、優先度情報８２２を有価媒体処理装置６００に送信可能に構成されていてもよい。また、管理コンピュータ２が備える記憶部は、収納媒体情報データベース８２１を格納しており、有価媒体処理装置６００が備える制御部８０は、分類回収処理において、収納媒体情報データベース８２１を参照して、有価媒体の分類を行うようにしてもよい。
【００８４】
このような構成の場合、例えば、有価媒体処理装置６００が分類回収処理を実行するとき、管理コンピュータ２から有価媒体処理装置６００に、収納媒体情報データベース８２１および優先度情報８２２を送信する。そして有価媒体処理装置６００は、分類回収処理の過程において収納媒体情報データベース８２１を更新し、分類回収処理が終了した後、更新した収納媒体情報データベース８２１を管理コンピュータ２に送信するようにしてもよい。また、収納媒体情報データベース８２１および優先度情報８２２は、有価媒体処理システム１におけるその他の記憶部、例えば、操作表示部７００内の記憶部に保存していてもよい。
【符号の説明】
【００８５】
１  有価媒体処理システム
２  管理コンピュータ（管理装置）
１０  投入部
１４  搬送部
２０  保留部（収納部）
３０  小切手収納部（収納部）
６０  払出部
８０  制御部
８２  記憶部
６００  有価媒体処理装置
８２１  収納媒体情報データベース
８２２  優先度情報
【図１】
2018060265.tif 000003
【図２】
2018060265.tif 000004
【図３】
2018060265.tif 000005
【図４】
2018060265.tif 000006
【図５】
2018060265.tif 000007
【図６】
2018060265.tif 000008
【図７】
2018060265.tif 000009
【図８】
2018060265.tif 000010
【図９】
2018060265.tif 000011
【図１０】
2018060265.tif 000012
【図１１】
2018060265.tif 000013
【図１２】
2018060265.tif 000014